(57)【要約】【課題】掻込スターホイルの回転軸を覆う巻付防止筒体への穀稈やワラ屑の巻き付きを防止する。【解決手段】圃場に植立する穀稈を掻込む掻込回転体（５）を有した左右の掻込装置（３）と、掻込回転体（５）の回転軸（７）を覆う巻付防止筒体（８）の後側に配置され、巻付防止筒体（８）の外周部に近接して巻付防止筒体（８）への穀稈の巻き付を防止する巻付防止プレート（９）とを備える。また、巻付防止プレート（９）は、掻込回転体（５）の上面に近接する位置に配置される。また、巻付防止プレート（９）の後端部を掻込回転体（５）の外周軌跡よりも後方の位置まで延設する。また、掻込回転体（５）の後側に掻込搬送チェン（４Ｒ）を有し、巻付防止プレート（９）は、上下方向の面を有すると共に、平面視で掻込搬送チェン（４Ｒ）と略平行に配置する。【選択図】図２
2017225373.tif 000002
【特許請求の範囲】
【請求項１】
圃場に植立する穀稈を掻込む掻込回転体（５）を有した左右の掻込装置（３）と、
前記掻込回転体（５）の回転軸（７）を覆う巻付防止筒体（８）の後側に配置され、該巻付防止筒体（８）の外周部に近接して当該巻付防止筒体（８）への穀稈の巻き付を防止する巻付防止プレート（９）とを備えた刈取穀稈掻込装置。
【請求項２】
前記巻付防止プレート（９）は、前記掻込回転体（５）の上面に近接する位置に配置される請求項１記載の刈取穀稈掻込装置。
【請求項３】
前記巻付防止プレート（９）の後端部を前記掻込回転体（５）の外周軌跡よりも後方の位置まで延設してある請求項１又は請求項２記載の刈取穀稈掻込装置。
【請求項４】
前記掻込回転体（５）の後側に掻込搬送チェン（４Ｒ）を有し、前記巻付防止プレート（９）は、上下方向の面を有すると共に、平面視で前記掻込搬送チェン（４Ｒ）と略平行に配置してある請求項１又は請求項２又は請求項３記載の刈取穀稈掻込装置。
【請求項５】
前記掻込回転体（５）と該掻込回転体（５）の上側に設けた掻込ガイド体（１４）との間に、前記巻付防止筒体（８）の外周に沿う巻付防止案内体（１３）を設けてある請求項１から請求項４のいずれか一項記載の刈取穀稈掻込装置。
【請求項６】
前記巻付防止案内体（１３）は、平面視において、その中間部を前記掻込回転体（５）の外周軌跡の内側に配置すると共に、その始端側の部位と終端側の部位を前記掻込回転体（５）の外周軌跡の内側から外側まで延設してある請求項５記載の刈取穀稈掻込装置。
【請求項７】
前記巻付防止案内体（１３）は、上下方向に所定幅を有する帯状板によって構成すると共に、弾性変位可能な構成とした請求項５又は請求項６記載の刈取穀稈掻込装置。
【発明の詳細な説明】
【技術分野】
【０００１】
この発明は、コンバイン等に設けられる刈取穀稈掻込装置に関する。
【背景技術】
【０００２】
従来、掻込スターホイル（掻込回転体）で刈取穀稈を掻き込む穀稈掻込装置には、この掻込駆動軸を囲繞する筒状の巻付防止体と、巻付防止体の後側でスターホイルの上部に立壁を設けたものは知られている（例えば、特許文献１参照）。
【先行技術文献】
【特許文献】
【０００３】
【特許文献１】特開２０１１−２１１９７１号公報
【発明の概要】
【発明が解決しようとする課題】
【０００４】
しかし、上記従来の技術では、巻付防止体と立壁は一体的に接続して構成されたもので、特に、立壁は、巻付防止体への穀稈巻き付きを防止する機能は全くなく、倒れ掛かった穀稈を受け止めて案内するガイドの役目を果たすにすぎないという問題がある。
【０００５】
この発明は、掻込スターホイルの回転軸を覆う巻付防止筒体の後側に該巻付防止筒体の外周部に近接させて巻付防止プレートを設置することにより、これ自体がスクレーパの役目を果たし、巻付防止筒体への穀稈や藁屑の巻き付きを防止することを目的とする。
【課題を解決するための手段】
【０００６】
この発明は、上記課題を解決すべく次のような技術的手段を講じた。
【０００７】
即ち、請求項１記載の本発明は、圃場に植立する穀稈を掻込む掻込回転体（５）を有した左右の掻込装置（３）と、
前記掻込回転体（５）の回転軸（７）を覆う巻付防止筒体（８）の後側に配置され、該巻付防止筒体（８）の外周部に近接して当該巻付防止筒体（８）への穀稈の巻き付を防止する巻付防止プレート（９）とを備えたことを特徴とする。
【０００８】
請求項２記載の本発明は、請求項１において、前記巻付防止プレート（９）は、前記掻込回転体（５）の上面に近接する位置に配置されることを特徴とする。
【０００９】
請求項３記載の本発明は、請求項１又は請求項２において、前記巻付防止プレート（９）の後端部を前記掻込回転体（５）の外周軌跡よりも後方の位置まで延設してあることを特徴とする。
【００１０】
請求項４記載の本発明は、請求項１又は請求項２又は請求項３において、前記掻込回転体（５）の後側に掻込搬送チェン（４Ｒ）を有し、前記巻付防止プレート（９）は、上下方向の面を有すると共に、平面視で前記掻込搬送チェン（４Ｒ）と略平行に配置してあることを特徴とする。
【００１１】
請求項５記載の本発明は、請求項１又は請求項２又は請求項３又は請求項４において、前記掻込回転体（５）と該掻込回転体（５）の上側に設けた掻込ガイド体（１４）との間に、前記巻付防止筒体（８）の外周に沿う巻付防止案内体（１３）を設けてあることを特徴とする。
【００１２】
請求項６記載の本発明は、請求項５において、前記巻付防止案内体（１３）は、平面視において、その中間部を前記掻込回転体（５）の外周軌跡の内側に配置すると共に、その始端側の部位と終端側の部位を前記掻込回転体（５）の外周軌跡の内側から外側まで延設してあることを特徴とする。
【００１３】
請求項７記載の本発明は、請求項５又は請求項６において、前記巻付防止案内体（１３）は、上下方向に所定幅を有する帯状板によって構成すると共に、弾性変位可能な構成としたことを特徴とする。
【発明の効果】
【００１４】
請求項１記載の発明によれば、掻込回転体５の回転軸７を覆う巻付防止筒体８の外周に巻付防止プレート９が所定の間隙を有して近接するため、この巻付防止プレート９がスクレーパの役目を果たし、巻付防止筒体８への藁屑などの巻き付を少なくすることができる。
【００１５】
請求項２記載の発明によれば、請求項１記載の発明の効果に加えて、巻付防止プレート９の下面が掻込回転体５の上面に所定間隙を有して近接しているため、この巻付防止プレート９のスクレーパ機能によって掻込回転体５の上面の藁屑などを掻き落すことができる。
【００１６】
請求項３記載の発明によれば、請求項１又は請求項２記載の発明の効果に加えて、巻付防止プレート９の後端部が掻込回転体５の外周軌跡よりも後方に延設されているため、掻込回転体５による藁屑などの持ち回りを防止することができる。
【００１７】
請求項４記載の発明によれば、請求項１又は請求項２又は請求項３記載の発明の効果に加えて、巻込防止プレート９が上下方向の面を有し、平面視では掻込搬送チェン４Ｒと略平行に配置されているため、穀稈の掻込搬送作用に支障をきたすことがなく、姿勢よくスムーズに掻込搬送することができる。
【００１８】
請求項５記載の発明によれば、請求項１から請求項４のいずれか一項記載の発明の効果に加えて、掻込回転体５によって掻き込まれる穀稈を掻込ガイド体１４及び巻付防止案内体１３によってスムーズに掻き込むことができ、藁屑などの持ち回りがなく、巻き付きを少なくすることができる。
【００１９】
請求項６記載の発明によれば、請求項５記載の発明の効果に加えて、巻付防止案内体１３の前後両端部が掻込回転体５の外周軌跡より外側に延設されているため、掻込回転タイ５による藁屑などの持ち回りを防止することができる。
【００２０】
請求項７記載の発明によれば、請求項５又は請求項６記載の発明の効果に加えて、巻付防止案内体１３が上下方向に所定幅を有する帯状板で構成されているため、穀稈をスムーズに掻き込み案内することができ、しかも、この巻付防止案内体１３自体が弾性変位可能に構成されているため、大きな外力が加わっても変形することがなく、巻き付き防止作用が確実に維持することができる。
【図面の簡単な説明】
【００２１】
【図１】刈取部要部の平面図
【図２】同上要部の平面図
【図３】刈取部要部の正面斜視図
【図４】同上要部の正面斜視図
【図５】同上要部の背面斜視図
【図６】同上要部の背面斜視図
【図７】同上要部の底面斜視図
【図８】刈取部の要部の平面図
【図９】同上要部の平面図
【図１０】刈取部の要部の側面図
【図１１】同上要部の斜視図
【図１２】刈刃クランク部の側面図
【図１３】同上平面図
【図１４】図１３の第１実施例の平面図
【図１５】図１３の第２実施例の平面図
【図１６】図１３の第３実施例の平面図
【発明を実施するための形態】
【００２２】
この発明のコンバインの刈取穀稈掻込装置の一実施の形態を図面に基づき説明する。
【００２３】
図１は、コンバインの刈取部の要部の平面図を示すものであり、４条刈りの掻込搬送装置を備えている。
【００２４】
図１において、刈取部１には、最前部に位置して立毛する穀稈を左右に分草する分草具２が備えられ、そして、分草後の穀稈は引起し装置で引起されたのち。バリカン式の刈刃で刈り取られる。刈取後の穀稈は掻込装置３で掻き込まれて後方に搬送される。そして、左右の掻込搬送チェン４Ｌ，４Ｒに引き継がれて搬送され、後方の終端側で合流されたのち、上下２段の揚上搬送装置によって持ち上げられ、脱穀装置のフィードチェンに受け渡しされるようになっている。
【００２５】
掻込装置３は、左右一対の掻込スターホイル（掻込回転体）５や掻込ベルト６等からなる。掻込スターホイル５は、駆動側と従動側の噛み合いによって駆動回転するようになっている。
【００２６】
図２は、従動側の掻込スターホイルを示すが、その回転軸７には、この回転軸７を覆う巻付防止筒体８が嵌装して設けられている。巻付防止筒体８の後側には、この巻付防止筒体８の外周部に近接してこの巻付防止筒体８への巻き付を防止する巻付防止プレート９が、上下方向の略垂直な面を有し、平面視で掻込搬送チェン４Ｒの搬送軌跡Ｘと略平行に配置されている。
【００２７】
巻付防止プレート９は、前端が所定の間隙Ｓを介して巻付防止筒体８の外周に接近し、スクレーパ効果を発揮し得るようになっている。また、巻付防止プレート９の終端部は、掻込スターホイル５の外周軌跡Ｋより後方に長く延設されていて、掻込スターホイル５による藁屑などの持ち回りを阻止するようになっている。
【００２８】
巻付防止筒体８は回動しないようにピン部１０を差し込んで固定し、ピン部１０を固定支持する支持ステー１１の一端は前記巻付防止プレート９を固定支持し、支持ステー１１の他端は引起しパイプ１２に一体的に固着支持する構成になっている。
【００２９】
また、巻付防止プレート９の下面は、掻込スターホイル５の上面に近接してスクレーパ機能を発揮するように配置され、この巻付防止プレート９の下部によって掻込スターホイル５上面の藁屑などを掻き落すことができるようになっている。
【００３０】
掻込スターホイル５とこの掻込スターホイル５の上側に設けた掻込ガイド体１４との間に、巻付防止筒体８の外周に沿い、かつ、掻込スターホイル５の谷部に沿うよう円弧状に形成されて更に後方に延びる巻付防止案内体１３が設けられている。
【００３１】
平面視において、巻付防止案内体１３の中間部は掻込スターホイル５の外周軌跡の内側に配置され、この巻付防止案内体１３の始端側の部位と終端側の部位は、掻込スターホイル５の外周軌跡の内側から外側まで延設されていて、掻込スターホイル５による藁屑などの持ち回りを防止できるようになっている。また、巻付防止案内体１３は、上下方向に所定幅を有する略垂直な帯状板によって弾性変位可能に構成され、その始端側は掻込ガイド体１４に固定され、終端側はストッパ部１５によって回動規制されるように構成されている。
【００３２】
掻込搬送チェン４Ｒの作用終端部まで作用させる稈落下防止ガイド１６の始端側に取付ステー１７を配置して取付部を構成し、その取付ナット部を巻付防止案内体１３のストッパ部１５となるよう構成されている。
【００３３】
図８〜図１１に示す構成例について説明すると、掻込搬送チェン４Ｒと供給搬送スターホイル２０との間に位置し、平面視で掻込ベルト６の軌跡の内側で、且つ、掻込搬送チェン４Ｒの内側に略平行状にガイド棒２１を配置して掻込ベルトカバー２２に取り付けた構成としている。これによると、ガイド棒の存在により、悪条件下の圃場でも、少量穀稈引継ぎ時の穀稈の落下を減少でき、引継性能の向上を図ることができる。なお、実施例におけるガイド棒２１は掻込ベルトカバー２２と略平行に配置している。また、扱ぎ深さ調節のため、供給搬送スターホイル２０が上下動しても、ガイド棒２０が穂先搬送装置２３における穂先搬送ラグ２４の先端軌跡より内側に配置しておくとよい。
【００３４】
次に、コンバインの刈刃クランク構成について説明する。
【００３５】
図１２及び図１３において、刈刃クランク部２６に円形の取付プレート２７を連結し、取付プレート２７は、巻付き防止盤２８より大きい内径と、刈刃クランク部２６の外形より小さい外形を有する形状とし、そして、両者の連結（溶接）部位Ａ，Ｂは、刈刃駆動軸２９の刈刃駆動軸中心Ｑと刈刃クランク駆動軸３０の刈刃クランク駆動軸中心Ｑを結ぶ直線に対して略平行になるよう配置する構成とすることで、機種や型式において振動低減と補強を個別に調整可能となる。
【００３６】
図１４は、図１３の円形取付プレートに対し、半円形の取付プレート２７を左右対称に連結配置したもので、連結（溶接）部位Ａ，Ｂに加えて、連結部位Ｃ，Ｄを設けたものである。
【００３７】
図１５は、上向きの切欠きを有したＣ型取付プレート２７の形状とし、また、図１６は、四角型の取付プレート２７，２７を左右対称に配置連結した構成である。
【符号の説明】
【００３８】
３    掻込装置
４Ｒ  掻込搬送チェン
５    掻込スターホイル（掻込回転体）
７    回転軸
８    巻付防止筒体
９    巻付防止プレート
１３    巻付防止案内体
１４    掻込ガイド体
１４Ｌ  左分草具
１４Ｒ  右分草具
１４Ｃ  中分草具
１５    穀稈引起し装置
１６    刈刃装置
２８    ガイドローラ
２９    引起しラグ
３４    掻込スターホイル
３６    掻込ベルト
３７    掻込ラグ
４１    掻込プーリ
４３    掻送りスターホイル
【図１】
2017225373.tif 000003
【図２】
2017225373.tif 000004
【図３】
2017225373.tif 000005
【図４】
2017225373.tif 000006
【図５】
2017225373.tif 000007
【図６】
2017225373.tif 000008
【図７】
2017225373.tif 000009
【図８】
2017225373.tif 000010
【図９】
2017225373.tif 000011
【図１０】
2017225373.tif 000012
【図１１】
2017225373.tif 000013
【図１２】
2017225373.tif 000014
【図１３】
2017225373.tif 000015
【図１４】
2017225373.tif 000016
【図１５】
2017225373.tif 000017
【図１６】
2017225373.tif 000018